(57)【要約】【課題】  撹拌子の質量および個数をあまり大きくすることなく、ケーキに埋没した撹拌子が容易に抜け出すことが可能であり、塗布液の撹拌効果が大きい塗布具を提供する。【解決手段】  球状塗布体がその一部がチップの先端から臨出した状態で回転可能に抱持され、このチップが塗布液タンクに接続された先口の中心孔に嵌着され、塗布液タンク内に粘度の高い造膜性塗布液が充填された塗布具において、塗布液タンク内に、２個の撹拌子およびコイルばねからなるスペーサーを配置するとともに、スペーサーの先端側と尾端側に撹拌子を配置し、塗布具を垂直姿勢に長期間放置して塗布液タンクの下側部で生成したケーキによって、このスペーサーは、その全長が埋没することがないようにする。【選択図】  図３
2006088497.tif 000002
【特許請求の範囲】
【請求項１】
球状塗布体がその一部がチップの先端から臨出した状態で回転可能に抱持され、該チップが塗布液タンクに接続された先口の中心孔に嵌着され、該塗布液タンク内に粘度の高い造膜性塗布液が充填された塗布具において、
前記塗布液タンク内に、コイルばねからなるスペーサーが配置されるとともに、該スペーサーの先端側および尾端側にそれぞれ撹拌子が配置され、塗布具を垂直姿勢に長期間放置して塗布液タンクの下側部で生成したケーキによって該スペーサーは、その全長が埋没することがないようにしたことを特徴とする塗布具。
【請求項２】
先端の中心孔に球状塗布体を回転自由に抱持したチップが嵌着され、該中心孔に連通する押出し管を有する先口が軸筒の先端開口に取り付けられ、先端開口が詰め栓で封止され、内部に塗布液が充填された塗布液タンクが該押出し管に仮止めされた状態で軸筒内に収容された塗布具において、
前記塗布液タンク内にコイルばねからなるスペーサーが配置されるとともに、該スペーサーの尾端側に撹拌子が配置され、塗布具を垂直姿勢に長期間放置して塗布液タンクの下側部で生成したケーキによって該スペーサーは、その全長が埋没することがなく、
初筆時において軸筒の尾端開口から突出する塗布液タンクの尾端部を押し込むと、塗布液タンク先端の嵌着部が押出し管に嵌着され、押出し管によって該塗布液タンクの詰め栓が後退して先端開口の封止が解除され、該詰め栓が該スペーサーの先端側の撹拌子として作用することを特徴とする塗布具。
【発明の詳細な説明】
【技術分野】
【０００１】
本発明は、修正液や化粧液など、顔料が溶媒内に分散した粘度の高い塗布液が充填された塗布具に関するものである。
【背景技術】
【０００２】
塗布体が球状の塗布具は、顔料が溶媒内に分散した粘度の高い塗布液が充填された塗布液タンクの先端に先口を介してチップが取り付けられており、ボールペンと同様に、チップの先端からその一部が先端から臨出した状態で球状塗布体が回転自由に抱持されている。そして、球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
塗布液タンクに充填された粘度の高い造膜性塗布液は、顔料が溶媒内に分散したものであるので、長時間放置しておくと、顔料が溶媒と分離して沈降する。このため、塗布液タンク内に球状や棒状の撹拌子を配置し、使用に先だって、塗布具を振って上下動する撹拌子で塗布液を撹拌し、顔料を溶媒に分散させる必要がある。
【発明の開示】
【発明が解決しようとする課題】
【０００５】
ところで、塗布体を上向きないし下向きにして塗布具を垂直姿勢で長時間放置していると、塗布液タンクの下側部で顔料が沈降して固化し、ケーキとなる。そして、ケーキの量が多くなると、ケーキが撹拌子を覆い、撹拌子がケーキの中に埋没するので、塗布具を上下に振っても撹拌子はケーキからなかなか抜け出せなくなる。このため、固化したケーキを破壊して顔料を再び溶媒に分散させることができなくなる。
【０００６】
撹拌子がケーキから抜け出しやすくし、かつ顔料を溶媒に分散させる撹拌効果を高めるためには、撹拌子の質量を大きくし、また撹拌子の個数を多くすればよいが、撹拌子の質量が大きく、また撹拌子の個数が多いと、それだけ塗布液タンクの有効内容積が小さくなり、充填できる塗布液の量が少なくなる。また、塗布具を上下に振ったときに撹拌子が塗布液タンクの底面に衝突したときの衝撃が大きくなる。そして、この衝撃が大きいと、塗布液タンクと先口の嵌着が緩み、塗布液が漏れ出す危険性がある。
【０００７】
そこで本発明は、塗布体を上向きないし下向きにして塗布具を垂直姿勢で長時間放置した場合にも、撹拌子の質量および個数をあまり大きくすることなく、ケーキに埋没した撹拌子が容易に抜け出すことが可能であり、塗布液の撹拌効果が大きい塗布具を提供することを目的とする。
【課題を解決するための手段】
【０００８】
かかる目的を達成するために、請求項１の発明は、球状塗布体がその一部がチップの先端から臨出した状態で回転可能に抱持され、このチップが塗布液タンクに接続された先口の中心孔に嵌着され、塗布液タンク内に粘度の高い造膜性塗布液が充填された塗布具において、塗布液タンク内に、コイルばねからなるスペーサーを配置するとともに、このスペーサーの先端側および尾端側にそれぞれ撹拌子を配置し、塗布具を垂直姿勢に長期間放置して塗布液タンクの下側部で生成したケーキによってスペーサーがその全長を埋没することがないようにする。
【０００９】
請求項２の発明は、  先端の中心孔に球状塗布体を回転自由に抱持したチップが嵌着され、該中心孔に連通する押出し管を有する先口が軸筒の先端開口に取り付けられ、先端開口が詰め栓で封止され、内部に塗布液が充填された塗布液タンクがし、押出し管に仮止めされた状態で軸筒内に収容された塗布具において、塗布液タンク内にコイルばねからなるスペーサーを配置するとともに、スペーサーの尾端側に撹拌子を配置し、塗布具を垂直姿勢に長期間放置して塗布液タンクの下側部で生成したケーキによってスペーサーがその全長を埋没することがないようにし、初筆時において軸筒の尾端開口から突出する塗布液タンクの尾端部を押し込むと、塗布液タンク先端の嵌着部が押出し管に嵌着され、押出し管によって塗布液タンクの詰め栓が後退して先端開口の封止が解除され、この詰め栓がスペーサーの先端側の撹拌子として作用するようにする。
【発明の効果】
【００１０】
塗布体を上向きないし下向きにして塗布具を垂直姿勢に長期間放置して塗布液タンクの下側部でケーキが生成しても、このスペーサーは、その全長がケーキに埋没しないので、スペーサーの先端側ないし尾端側の撹拌子は顔料の溶媒への分散量が少ない塗布液の中に位置する。したがって、塗布具を上下に振ったときに、上方の撹拌子はスペーサの端部に衝突し、その衝撃が下方の撹拌子に伝達される。このため、この衝撃力により下方の撹拌子はケーキを破壊するのでケーキから抜け出すことが可能になり、塗布液を効率よく撹拌できる。また、スペーサーがコイルばねからなるので、撹拌子が衝突したときに伸縮して撹拌効果を向上させるとともに、中実のスペーサーよりも質量が小さくて塗布具を上下に振ったときの塗布液タンクの底面に対する衝撃が小さく、かつ塗布液タンクの有効内容積の減少量が少ない利点がある。
【発明を実施するための最良の形態】
【００１１】
以下に、図面に基づいて本発明の実施例を具体的に説明する。図１は塗布具が出荷される前の状態を示す断面図であるが、図１において、軸筒１０は、合成樹脂、例えばナイロンやＰＢＴなどで成形されたものであり、肉厚は０．５〜１．０ｍｍの範囲の薄肉なものであり、例えば０．６ｍｍである。軸筒１０の先端開口には先口２０が取り付けられている。なお、軸筒１０と先口２０を一体に成形したものであってもよい。軸筒１０の尾端部の内周面には、断面形状が直角三角形である係止突起１１が形成されている。先口２０の中心孔２１にチップ３０が嵌着されている。また、先口２０内部には尾端側に突出する筒状の押出し管２２が形成されており、押出し管２２の内面は中心孔２１に連通している。また、不使用時には、先口２０にキャップ７０が嵌着される。
【００１２】
チップ３０は、ステンレスにて砲弾型に形成されており、チップ３０先端のボールハウスに、直径が例えばφ１．０ｍｍの超硬ボールからなる球状塗布体３１がその一部がチップ３０の先端から臨出した状態で回転自由に抱持されたボールペンタイプである。なお、チップ３０は金属パイプからなるものであってもよい。そして、チップ３０内には、質量の小さなスプリング３２が配置されており、その後端部はチップ３０から突出している。このスプリング３２が球状塗布体３１を弾発してチップ３０の内向きの先端縁に圧接している。つまり、球状塗布体３１とチップ３０の先端縁とで弁機構を構成し、不使用時に塗布液がチップ３０の先端から吐出しないようになっている。
【００１３】
塗布液タンク４０は、軸筒１０と同じく、合成樹脂、例えばナイロンやＰＢＴなどで有底筒状に成形されたものであり、肉厚は０．５〜１．０ｍｍの範囲の薄肉なものであり、例えば０．６ｍｍである。塗布液タンク４０の先端部には先端開口部材４１が嵌着されており、金属球からなり、封止部４１ａから後退して解放されると撹拌子を兼ねる詰め栓４２が先端開口部材４１先端部分の封止部４１ａに圧入されている。つまり、塗布液タンク４０の先端開口は詰め栓４２によって封止されている。この封止部４１ａの先端部分が内径が封止部４１ａよりも小径の嵌着部４１ｂである。そして、塗布液タンク４０内には、例えば粘度が３０〜４０ｃｐｓであって、溶媒に顔料が分散した造膜性の高い修正液である塗布液（図示せず）が充填されている。
【００１４】
そして、塗布液内にはコイルばねからなるスペーサー４４が配置されており、このスペーサー４４の尾端側に金属球からなる２個の撹拌子４３が配置されている。ここで塗布具を垂直姿勢にして長期間保存すると、塗布液内の顔料が分離してケーキが形成されるが、スペーサー４４の長さは、保存が極めて長期になってケーキが最大限形成されても、このケーキの高さよりも長くなっている。ここで、撹拌子を兼ねる詰め栓４２および撹拌子４３の外径はスペーサー４４の内径よりも大きく、かつ詰め栓４２ないし第２撹拌子４３の外径とスペーサー４４の外径の和は塗布液タンク４０の内径より大きい。つまり、封止部４１ａから解放された詰め栓４２と撹拌子４３はスペーサー４４によって離間されており、詰め栓４２と撹拌子４３が直接接触することはない。なお、撹拌子４３は１個であってもよい。また、塗布液タンク４０の尾端部の外周面には第１凹部４５と第２凹部４６が形成されている。
【００１５】
かかる塗布液タンク４０が軸筒１０内に配置されており、塗布液タンク４０の尾端部４０ａが軸筒１０の尾端開口から突出しているが、嵌着部４１ｂが押出し管２２の尾端部に嵌着されて仮止めされている。このとき、係止突起１１は第１凹部４５に係止している。したがって、出荷時においては、押出し管２２の尾端部は塗布液タンク４０の封止部４１ａ内には入り込んでおらず、詰め栓４２は封止部４１ａに圧入された状態であり、塗布液タンク４０は開封されていない。つまり、チップ３０内には、塗布液は存在しない。
【００１６】
しかして、最初の使用に際してユーザーは、軸筒１０の尾端開口から突出した塗布液タンク４０の尾端部４０ａを押し込むと、塗布液タンク４０が前進し、その過程において、図２に示すように、係止突起１１は第１凹部４５を抜け出し、係止突起１１は第２凹部４６に係止する。また、押出し管２２が封止部４１ａに大きく入り込むとともに、押出し管２２は嵌着管４１ｂに嵌着する。これにより、押出し管２２の尾端面が詰め栓４２を塗布液タンク４０内に押しやり、塗布液タンク４０の先端開口は開封される。したがって、初筆時において塗布液がチップ３０先端からスムーズに吐出する。そして、塗布液タンク４０内に押しやられた詰め栓４２はスペーサー４４の先端側の撹拌子として働く。
なお、塗布具はこの実施例のように、塗布液タンク４０を押し込んで詰め栓４２を撹拌子として使用するものに限られないが、いずれしてもスペーサー４４の先端側と尾端側に撹拌子が配置される。
【００１７】
かかる塗布具を、図３に示すように、チップ３０を上向きにした垂直姿勢にすると、撹拌子４３が塗布液タンク４０の尾端面に当接し、その上にスペーサー４４および詰め栓４２が積み重なるようになる。また、図４に示すように、チップ３０を下向きにした垂直姿勢にすると、詰め栓４２が先口２０の嵌着管２２に当接し、その上にスペーサー４４および撹拌子４３が積み重なるようになる。そして、いずれかの垂直姿勢で長期間放置すると、塗布液の顔料が溶媒から分離して沈降し、固化してケーキとなるが、ケーキの量が増加するとスペーサー４４の尾端側ないし先端側、つまりスペーサー４４の下側部分は、スペーサー４４の下側に位置する撹拌子４３ないし詰め栓４２と共にケーキに埋没する。ここで、スペーサー４４の長さは、前術のとおり、ケーキが最大限形成された場合の長さよりも長いので、スペーサー４４の上側に位置する詰め栓４２ないし撹拌子４３は顔料がほとんど溶媒に分散していない塗布液の中に存在し、ケーキに埋没しない。
【００１８】
この状態で塗布具を上下に振って塗布液を撹拌するとき、ケーキに埋没した詰め栓４２ないし撹拌子４３は移動しにくいが、ケーキに埋没しない撹拌子４３ないし詰め栓４２がスペーサ４４の端部に衝突し、その衝撃がケーキに埋没した詰め栓４２ないし撹拌子４３に伝わる。したがって、この衝撃力によってケーキが破壊され、ケーキに埋没していた詰め栓４２ないし撹拌子４３も上下に移動可能になる。そして、この撹拌によって固化していたケーキも微細な顔料になり、再び溶媒中に分散するので、十分な撹拌効果を得ることができる。
【００１９】
また、塗布具を上下に振ったとき、撹拌子４３およびスペーサー４４と詰め栓４２が重なり合うようにして塗布液タンク４０の尾端面や先口２０の嵌着管２２に衝突するが、スペーサー４４がコイルばねからなるので、その伸縮により撹拌効果を期待することができるとともに、中実のスペーサーよりも質量が小さく、塗布液タンク４０の底面に対する衝撃が小さい。このため、先口２０の嵌着管２２と嵌着部４１ａの嵌着が緩む危険性が少ない。また、スペーサー４４の内部にも塗布液が入るので、塗布液タンク４０の有効内容積の減少量が少ない利点がある。
【図面の簡単な説明】
【００２０】
【図１】本発明実施例の塗布具の出荷前の断面図である。
【図２】筆記可能状態の断面図である。
【図３】塗布体を上向きにして保存した状態の説明図である。
【図４】塗布体を下向きにして保存した状態の説明図である。
【符号の説明】
【００２１】
１０    軸筒
２０    先口
２１    先口の中心孔
２２    嵌着管
３０    チップ
３１    球状塗布体
３２    スプリング
４０    塗布液タンク
４１    先端開口部材
４２    詰め栓
４３    撹拌子
４４    スペーサー
７０    キャップ
【図１】
2006088497.tif 000003
【図２】
2006088497.tif 000004
【図３】
2006088497.tif 000005
【図４】
2006088497.tif 000006